(57)【要約】【課題】プルーフにおいてモアレを忠実に再現できるプルーフ用画像の階調補正方法、プルーフ出力方法及びプログラムを提供する。【解決手段】このプルーフ用画像の階調補正方法は、プルーフ画像出力のために階調画像データを２値の網点画像データに変換する際の階調補正方法であって、２値化後の網点画像データに対して、階調補正レベルに応じた確率でランダムに画素を増減することにより階調補正を行う。【選択図】図７
2008270861.tif 000002
【特許請求の範囲】
【請求項１】
プルーフ画像出力のために階調画像データを２値の網点画像データに変換する際の階調補正方法であって、
前記２値化後の網点画像データに対して、階調補正レベルに応じた確率でランダムに画素を増減することにより階調補正を行うことを特徴とするプルーフ用画像の階調補正方法。
【請求項２】
前記階調画像データから、印刷時と同じ補正カーブを用いて２値化処理により得た網点画像データに対して前記階調補正を行う請求項１に記載の階調補正方法。
【請求項３】
前記網点画像データによる出力物の濃度及び色調を測定し、その測定結果と目標値との差異に基づいて作成した補正テーブル及び前記階調画像データから前記階調画像データの各画素の補正量を得て、前記補正量に基づいて前記確率を設定する請求項１または２に記載の階調補正方法。
【請求項４】
前記確率を設定する際に前記網点画像データの各部分毎の網点面積率を考慮する請求項３に記載の階調補正方法。
【請求項５】
請求項１乃至４のいずれか１項に記載の階調補正方法により階調補正された網点画像データに基づいて印刷物のプルーフを出力するプルーフ出力方法。
【請求項６】
請求項１乃至４のいずれか１項に記載の階調補正方法をコンピュータに実行させるためのプログラム。
【発明の詳細な説明】
【技術分野】
【０００１】
本発明は、プルーフ画像出力のために階調画像データから網点画像を生成する際の階調補正方法、プルーフ出力方法及びプログラムに関する。
【背景技術】
【０００２】
従来、カラー印刷工程において、印刷物の校正のため校正物（プルーフ）を別途作成し、本番の印刷版を作成する前に印刷物の仕上がりを事前に確認している。この場合、プルーフ用画像の出力装置と、印刷版作成〜印刷機による印刷工程とでは、出力特性に違いがあるため、同じ画像データを出力しても、近似した出力結果は得られない。このため、網点画像を出力するタイプの出力装置でプルーフ用画像を作成する際は、印刷物に近似した出力が得られるように階調補正を行い、印刷物に対しプルーフ出力の色調を合わせる必要がある。
【０００３】
上記階調補正のために、従来、階調画像データ（補正前の元画像）に対して階調補正処理を行い、階調補正後の階調画像データを生成し、この階調補正後の階調画像データに対して２値化処理を行い、網点面積率を調整したプルーフ出力用の網点画像データを生成し、色調整されたプルーフ出力を得ている。例えば、下記特許文献１の網点画像データ補正方法は、網点面積率から作成した階調補正データに基づいて階調画像データを補正した後、網点２値化を行う。また、下記特許文献２のカラープルーフ作成方法は、ＲＩＰ(Raster Image Processor)側のドットゲインカーブ補正と、露光量によるベタ色の調整を組み合わせている。下記特許文献３のプルーフ画像生成方法は、多値データを所望の階調特性になるように補正された網点閾値データにより網点化し、更に露光部の出力レベル調整により印刷物と同等のドットゲインになるよう調整している。
【０００４】
しかし、上述の従来技術のように階調画像データに対して階調変換処理を行った後で２値化（網点化）処理を行った場合、印刷時と異なる補正カーブにより階調変換を行うことから、プルーフにおけるモアレ等の再現が印刷物と異なってしまうことがあり、プルーフ出力の目的の一つであるモアレ（画素の相互干渉による縞状パターン）の確認が充分にできない、といった問題があった。
【０００５】
一方、２値化処理後の網点画像データに対して階調補正処理を行うことが提案されている。すなわち、網点画像データに対してデスクリーニング処理を行うことにより、画像データの各部分ごとの網％（網点面積率）を求めた後、網％に応じた補正量に基づいて、網点画像データに対する階調補正処理を行う。通常、２値化後の網点画像データに対する階調補正処理は、網点のエッジ部分の画素を増減することにより行う。例えば、下記特許文献４は、２値データを多値データに変換する処理（デスクリーニング処理）をした後、多値データの状態で色調補正を行い、補正前後の多値データの差に基づいて元の２値データの面積率を増減する画像変換方法であり、２値データの境界部分を反転することにより面積率を増減することが望ましい旨を開示する。
【０００６】
また、下記特許文献５は、印刷と同じ１ｂｉｔデータを受けて、網点の輪郭部（エッジ）における露光量を調整することにより色調整を行うプルーフ作成方法を開示し、印刷と同じ１ｂｉｔデータを使用するため、モアレを忠実に再現できる。
【特許文献１】特開平０６−３０３４２９号公報
【特許文献２】特開平１１−２０５６２２号公報
【特許文献３】特開２００３−３２４９２号公報
【特許文献４】特開２００２−２９０７２２号公報
【特許文献５】特開２００６−３０２７７号公報
【発明の開示】
【発明が解決しようとする課題】
【０００７】
しかし、特許文献５の方法は、露光量の調整により色調を補正するものであり、露光量を調整できないタイプの出力装置には適用することができず、また、特許文献４、５の方法は、網点のエッジ（境界）部分に着目した補正を行うものである。
【０００８】
本発明は、上述のような従来技術の問題に鑑み、プルーフにおいてモアレを忠実に再現できるプルーフ用画像の階調補正方法、プルーフ出力方法及びプログラムを提供することを目的とする。
【課題を解決するための手段】
【０００９】
上記目的を達成するために、本発明によるプルーフ用画像の階調補正方法は、プルーフ画像出力のために階調画像データを２値の網点画像データに変換する際の階調補正方法であって、前記２値化後の網点画像データに対して、階調補正レベルに応じた確率でランダムに画素を増減することにより階調補正を行うことを特徴とする。
【００１０】
このプルーフ用画像の階調補正方法によれば、階調補正をランダムな画素の増減により行い、網点の大きさが変更されないから、印刷物のモアレを忠実に再現できる。また、階調補正は、網点のエッジ（境界）部の画素増減ではなく、全体にランダムに画素を増減するため網点の形状が変化しないから、より印刷物の網点に近い再現を維持できるとともに、階調補正を露光量の調整ではなく２値データ上で行うので、露光量を調整できないタイプの出力装置にも適用できる。
【００１１】
上記階調補正方法において前記階調画像データから印刷時と同じ補正カーブを用いて２値化処理により得た網点画像データに対して前記階調補正を行うことで、２値化処理の際に発生するモアレについて印刷物のモアレを忠実に再現できる。
【００１２】
また、前記網点画像データによる出力物の濃度及び色調を測定し、その測定結果と目標値との差異に基づいて作成した補正テーブル及び前記階調画像データから前記階調画像データの各画素の補正量を得て、前記補正量に基づいて前記確率を設定することで、網点画像データに対して階調補正を行うことができる。この場合、前記確率を設定する際に前記網点画像データの各部分（ブロック）毎の網点面積率が考慮される。
【００１３】
本発明のプルーフ出力方法は、上述の階調補正方法により階調補正された網点画像データに基づいて印刷物のプルーフを出力する。このプルーフ出力方法によれば、モアレを忠実に再現したプルーフを出力することができるとともに、露光量を調整できないタイプの出力装置にも適用できる。
【００１４】
本発明のプログラムは、上述の階調補正方法をコンピュータに実行させるためのものである。このプログラムによれば、上述の階調補正方法を実行させることで、プルーフにおいてモアレを忠実に再現できるとともに、露光量を調整できないタイプの出力装置にも適用できる。
【発明の効果】
【００１５】
本発明のプルーフ用画像の階調補正方法、プルーフ出力方法及びプログラムによれば、印刷物のプルーフにおいてモアレを忠実に再現できる。
【発明を実施するための最良の形態】
【００１６】
以下、本発明を実施するための最良の形態について図面を用いて説明する。図１は本実施の形態によるプルーフ出力システムの構成例を概略的に示すブロック図である。
【００１７】
図１に示すプルーフ出力システムは、入力したＹＭＣＫ階調画像データ（例えば、８ｂｉｔ）について２値化処理や階調補正処理を行う画像処理装置１０と、画像処理装置１０からの２値化後の網点画像データに基づいてプルーフを出力する画像出力装置２０と、を備える。
【００１８】
画像処理装置１０は、入力したＹＭＣＫの各階調画像データをいったん保存し随時出力するハードディスク等からなる保存部１１と、２値化処理や階調補正処理を行う処理部１２と、階調補正がされた網点画像データを出力する出力部１３と、２値化処理や階調補正処理等の各処理のためのプログラムが格納されたハードディスクやＲＯＭやＲＡＭ等からなる記憶部１４と、記憶部１４から読み出された上記プログラムを実行し各部１１〜１４を制御するＣＰＵ（中央演算処理装置）からなる制御部１５と、を備え、表示部及びマウスやキーボード等の入力部を有するパーソナルコンピュータから構成可能である。
【００１９】
画像出力装置２０は、画像処理装置１０からの網点画像データをいったん保存し随時出力するハードディスク等からなる画像メモリ２１と、この網点画像データに基づいて光源から感光材料に露光を行う露光部２２と、露光後の感光材料に所定の現像処理を行う現像部２３と、を備える。なお、画像出力装置２０は、感光材料に記録するものに限らず、インクジェット方式のプリンタや電子写真方式のプリンタ等であってもよい。
【００２０】
画像処理装置１０は、元画像である階調画像データを、印刷時と同じ補正カーブを用いて２値化処理し、２値化後の補正テーブルを作成し、この２値化後の補正テーブルと階調画像データ（元画像）とから各画素毎の補正量を求め、その後、この補正量に応じた確率でランダム画素を生成し、このランダム画素により２値化処理で生成された網点画像データに対して演算を行うことにより、２値化後の網点画像データに対しランダムな位置の画素を増減して階調を補正することでプルーフ出力用の階調補正処理を行う。
【００２１】
上述の２値化処理、補正テーブルの作成及びランダム画素の作成について図２〜図６を参照して説明する。
【００２２】
図２は、本実施の形態において階調画像データを２値化処理するときの閾値テーブルの例を示す模式図（ａ）及び２値化後の網点画像の例を示す模式図（ｂ）である。なお、図２（ａ）では６５以降の外側の値が図示省略されている。
【００２３】
図３は、８ｂｉｔの階調画像データのテーブル（ａ）、図３（ａ）の階調画像に対する階調補正テーブル（ｂ）、２値化後の網点画像データのテーブル（ｃ）、図３（ｃ）の網点画像データにより出力した出力物（プルーフ）の網％実測値のテーブル（ｄ）、同じく刷版で印刷した印刷物の網％実測値のテーブル（ｅ）、図３（ｄ）及び図３（ｅ）の各実測値から得た図３（ａ）の階調画像に対する補正量のテーブル（ｆ）、及び、２値化後の補正量のテーブル（ｇ）である。図４は、図３（ｆ）の補正量の求め方を説明するためのグラフである。
【００２４】
元画像である例えば８ｂｉｔ（０〜２５５）の階調画像データを図２（ａ）のような閾値テーブルで２値化し、例えば、階調画像＝６の場合、図２（ｂ）のような網点画像を得る。
【００２５】
上記２値化の際に、図３（ａ）の８ｂｉｔ（０〜２５５）の階調画像データから図３（ｂ）の階調補正テーブルを用いて図３（ｃ）の網点画像の網％（網点面積率）データ（補正前）を得る。図３（ｂ）の階調補正テーブルは、印刷時と同じ補正カーブであり、図３（ｂ）の例は、補正なしの場合（階調画像と網点画像との関係がリニアの場合）の階調補正テーブルである。
【００２６】
図３（ｃ）のような網点画像データ（網％）により画像出力装置２０から出力物（プルーフ）を出力し、この出力物の濃度・色調を測定し、図３（ｄ）のような網％のプルーフ実測値を得る。一方、図３（ｃ）の網点画像データにより作成した刷版で印刷した印刷物の濃度・色調を測定し、図３（ｅ）のような網％の印刷物実測値を得る。
【００２７】
次に、上記プルーフ出力実測値と上記印刷物実測値（目標値）とから図３（ｆ）の補正量（網％）を決定する。すなわち、図４のように、図３（ｃ）の網点画像データ（補正前）の網％と図３（ｄ）のプルーフ実測値の網％との関係を示す実線（太線）のカーブａと、図３（ｃ）の網点画像データ（補正前）の網％と図３（ｅ）の印刷物実測値の網％との関係を示す一点鎖線のカーブｂとを用いて補正量（網％）を求め、例えば、補正前の網点画像データの網５０％に対する補正量は、図４の破線のように、＋１０％となる。このようにして求めた補正量（網％）は、元画像である図３（ａ）の階調画像に対する補正量である。
【００２８】
階調補正は、図３（ｂ）の階調補正テーブル（印刷時の補正カーブ）による２値化時の階調補正と、２値化後の階調補正の２段階に行われるので、以下の関係となる。
【００２９】
図３（ａ）の元画像の階調画像に対する補正量（図３（ｆ））＝２値化時の補正量（印刷時の補正カーブ）＋２値化後の補正量
【００３０】
したがって、２値化後の階調補正に適用する補正量のテーブルは、図３（ｆ）の補正量のテーブル（ｆ）−２値化時の補正量（印刷時の補正カーブ）、となり、図３（ｇ）のような２値化後の補正量のテーブルを得て、図４の実線（細線）のカーブｃのようになる。なお、図３（ｂ）の階調補正テーブルの例は階調画像と網点画像との関係がリニア（補正なし）の場合のものであるから、図３（ｇ）の補正量の例は、図３（ｆ）の補正量と同じになっている。
【００３１】
以上のようにして得た２値化後の補正テーブルの例を下記表１に示す。
【００３２】
【表１】
2008270861.tif 000003
【００３３】
図５は、上述の補正前の元画像である階調画像（ａ）と網点化後の網点画像（ｂ）との関係を概略的に示す模式図である。図５（ａ）のような階調画像（元画像）で各画素ｄは０〜２５５の値をとり、例えば、階調画像４００ｄｐｉ、網点画像２４００ｄｐｉの場合、階調画像の１画素ｄが図５（ｂ）のように、網点画像の６×６の画素からなる１ブロックに対応する。
【００３４】
図６は、図５（ａ）と同様の元画像である階調画像の模式図（ａ）、図６（ａ）の階調画像の各画素毎に求めた補正量を示す模式図（ｂ）、階調画像の各画素に対応する網点画像の６×６の画素からなる各ブロックを示す模式図（ｃ）である。
【００３５】
図６（ａ）のような階調画像と表１（図４のカーブｃ）のような２値化後の補正テーブルとから、例えば、図６（ｂ）のように階調画像の各画素ｅ，ｆ，ｇ，・・・毎に補正量（網％）０，３，２，・・・を求め、図６（ｃ）のように、図６（ｂ）の階調画像の画素ｅに対応する網点画像の６×６の画素からなるブロックｈ内に補正量０に対応する頻度でランダム画素を発生させる。同様にして、ブロックｉ内に補正量３に対応する頻度でランダム画素を発生させ、ブロックｊ内に補正量２に対応する頻度でランダム画素を発生させる。
【００３６】
上述のランダム画素の発生頻度（確率）は、階調画像の各画素毎の補正量から次のようにして求めることができる。
【００３７】
（Ａ）プラス方向に補正する場合
例えば、補正前の画像の網％を１０％とすると、画素値「１」の画素の面積率が１０％、画素値「０」の画素の面積率が９０％であり、画素値が「０」の部分をランダムに「１」に変換して、補正量の分だけ面積率を増加させる必要があるため、プラス方向に補正する場合のランダム画素発生確率αは、補正量＝画素値「０」の面積率×α→補正量＝（１００％−補正前データの網％）×α→α＝補正量／（１００−補正前データの網％）となる。
【００３８】
プラス方向に補正する場合のランダム画素発生確率αを０〜１００％とすると、α(０〜１００％)は以下の式（１）から求めることができる。
【００３９】
α(０〜１００％)＝補正量×１００／(１００−補正前の網％)  ・・・（１）
【００４０】
上記式（１）から上記表１におけるプラス方向の補正量に対応したランダム画素発生確率を求めると、次の表２のテーブルのようになる。
【００４１】
【表２】
2008270861.tif 000004
【００４２】
（Ｂ）マイナス方向に補正する場合
上記プラス方向と異なり、画素値「１」の部分をランダムに間引くことにより、補正量の分だけ面積率を減少させるため、マイナス方向に補正する場合のランダム画素発生確率βは、補正量＝画素値「１」の面積率×β→補正量＝補正前データの網％×β→β＝補正量／補正前データの網％となる。
【００４３】
マイナス方向に補正する場合のランダム画素発生確率βを０〜１００％とすると、β(０〜１００％)は以下の式（２）から求めることができる。
【００４４】
β(０〜１００％)＝補正量×１００／補正前の網％  ・・・（２）
【００４５】
上記式（２）から上記表１における補正量をマイナスと仮定した場合、マイナスの補正量に対応したランダム画素発生確率を求めると、次の表３のテーブルのようになる。
【００４６】
【表３】
2008270861.tif 000005
【００４７】
次に、図１〜図６で説明した画像処理装置１０におけるプルーフ用画像の階調補正処理工程（Ｓ０１〜Ｓ０８）について図７〜図１２を参照して説明する。
【００４８】
図７は本実施の形態による階調補正処理ステップ（Ｓ０１〜Ｓ０８）を説明するためのフローチャートである。図８〜図１２は補正前後の網点画像とランダム画像の模式図である。
【００４９】
まず、図３（ａ）〜（ｃ）のように、元画像の階調画像データ（８ｂｉｔ）を図２（ａ）のような閾値テーブルにより、図３（ｂ）の印刷時と同じ補正カーブ（階調補正テーブル）を用いて２値化（網点化）する（Ｓ０１）。この２値化した網点画像（補正前）の例を図８に模式的に示す。
【００５０】
次に、上記２値網点画像データにより画像出力装置２０からプルーフ用画像の出力物（プルーフ）を出力する（Ｓ０２）。一方、同じ２値網点画像データにより作成した刷版を用いて印刷物を得る（Ｓ０３）。
【００５１】
次に、上記出力物及び印刷物の濃度・色調を測定し、図３（ｄ）のプルーフ実測値と図３（ｅ）の印刷物実測値（目標値）との差異から、図３（ｆ）の補正量を図４のようにして求め、更に、図３（ｇ）の補正テーブルを求め、表１のような階調画像データに対する補正テーブルを作成する（Ｓ０４）。
【００５２】
次に、図６（ａ）の階調画像データと図３（ｇ）の補正テーブルとから、図６（ｂ）のように階調画像データの各画素毎に補正量を求める（Ｓ０５）。
【００５３】
次に、上述の階調画像データの各画素の補正量（プラス方向）に対応した頻度を上記式（１）で求め、この頻度でランダム画素を発生させた２値ランダムデータＡを作成する（Ｓ０６）。この２値ランダムデータＡは、図９のように、図８の２値化後の網点画像と同じサイズ・解像度の２値データである。なお、プラス方向の補正量がなくゼロの場合は、このステップＳ０６は省略される。
【００５４】
同様に、上述の階調画像データの各画素の補正量（マイナス方向）に対応した頻度を上記式（２）で求め、この頻度でランダム画素を発生させた２値ランダムデータＢを作成する（Ｓ０７）。この２値ランダムデータＢは、図１１のように、図８の２値化後の網点画像と同じサイズ・解像度の２値データである。なお、マイナス方向の補正量がなくゼロの場合は、このステップＳ０７は省略される。
【００５５】
次に、ステップＳ０１で得た２値化後の網点画像データと、ステップＳ０６で得たプラス方向の補正量に対応した２値ランダムデータＡとの論理和をとる（Ｓ０８）。例えば、図８の網点画像に対し図９のランダム画素で補正すると、図１０のようなプラス方向に補正された網点画像を得ることができる。
【００５６】
次に、上述のプラス方向に補正した網点画像データと、ステップＳ０７で得たマイナス方向の補正量に対応した２値ランダムデータＢの否定との論理積をとる（Ｓ０９）。
【００５７】
上述のようにして階調補正をした網点画像データを得ることができるが、上記ステップＳ０８及びＳ０９における演算を式化すると、次のように表すことができる。
【００５８】
階調補正後の２値網点画像データ＝（網点画像データ ＋ プラス方向の補正量に比例した２値ランダムデータＡ）×マイナス方向の補正量に比例した２値ランダムデータＢの否定 
【００５９】
図８のような網点画像に対する上記階調補正後の網点画像では、図９のようなプラス方向補正のためのランダム画素で補正を行った部分は、図１０のように網点以外の白地部分にランダムに画素が追加される。
【００６０】
同様に、図１１のようなマイナス方向補正のためのランダム画素で補正を行った部分は、図１２のように網点内部の画素がランダムに間引かれる。すなわち、例えば、２値ランダムデータＡがゼロであり、マイナス方向の補正を考慮した２値ランダムデータＢが図１１のような２値データからなるランダム画素である場合、図１１のランダム画素で図８の網点画像を補正すると、補正後の網点画像では、図１２のように、網点内部の画素が間引かれて白地になる。
【００６１】
図１のプルーフ出力システムによれば、上述のようにして２値網点画像データについて階調補正を行った網点画像データが画像処理装置１０から画像出力装置２０に送られて画像出力装置２０からプルーフが出力する。
【００６２】
以上のような本実施の形態によるプルーフ用画像の階調補正方法によれば、次のような効果を奏する。
【００６３】
(1)印刷時と同じ補正カーブを用いて２値化処理を行うから、２値化処理の際に発生するモアレにより印刷物のモアレを忠実に再現できる。
【００６４】
(2)２値化後の階調補正はランダムな画素の増減により行われるため、個々も網点の大きさを変更しないため、モアレを忠実に再現できる。
【００６５】
(3)網点画像データに対する階調補正において、網点のエッジ（境界）部の画素増減ではなく、全体にランダムに画素を増減するため、網点の形状が変化しない。これにより、より印刷物の網点に近い再現を維持できる。
【００６６】
(4)特許文献４のように、デスクリーニング処理が不要のため、処理の負荷が少ない。なお、特許文献４のようなデスクリーニング処理の場合、絵柄部分と線画部分を区別できず、線画・文字の部分も太らせ／細らせてしまうが、本実施の形態では、元の階調画像データから補正量を得るため、線画・文字等の部分が太る／細ることがない。通常、階調画像データ内では、線画、文字の部分は０または２５５で表現されるため、０／２５５に対する補正量が０であれば、線画・文字が太る／細ることはない。
【００６７】
また、本実施の形態の階調補正方法は、特許文献４の方法に対し、(a)本実施の形態ではデスクリーニング処理は行わず、階調画像データ（補正前の元画像）を参照して、画像データの各ブロック毎の網％に応じた補正量を得る点、及び、(b)網点画像データに対する階調補正処理において、網点のエッジ（境界）部分の画素を増減するのではなく、網点のエッジ・非エッジ部に関係なくランダムに画素を増減する点において異なる。
【００６８】
また、特許文献５の方法は、露光量の調整により色調を補正するのに対し、本実施の形態では露光量の調整でなく、２値データ上で階調補正を行っているため、露光量を調整できないインクジェット方式等の出力装置にも適用できる。また、網点のエッジ（境界）部分に着目した補正ではなく、画像全体をランダムに補正する点が特許文献４，５の方法と異なる。
【００６９】
以上のように本発明を実施するための最良の形態について説明したが、本発明はこれらに限定されるものではなく、本発明の技術的思想の範囲内で各種の変形が可能である。例えば、図３（ｂ）の印刷時の補正カーブ（階調補正テーブル）は、印刷版上の網点面積率がリニアになるような関係であるが、非リニアの関係の場合もある。
【図面の簡単な説明】
【００７０】
【図１】本実施の形態によるプルーフ出力システムの構成例を概略的に示すブロック図である。
【図２】本実施の形態において階調画像データを２値化処理するときの閾値テーブルの例を示す模式図（ａ）及び２値化後の網点画像の例を示す模式図（ｂ）である。
【図３】本実施の形態を説明するための図であり、８ｂｉｔの階調画像データのテーブル（ａ）、図３（ａ）の階調画像に対する階調補正テーブル（ｂ）、２値化後の網点画像データのテーブル（ｃ）、図３（ｃ）の網点画像データにより出力した出力物（プルーフ）の網％実測値のテーブル（ｄ）、同じく刷版で印刷した印刷物の網％実測値のテーブル（ｅ）、図３（ｄ）及び図３（ｅ）の各実測値から得た図３（ａ）の階調画像に対する補正量のテーブル（ｆ）、及び、２値化後の補正量のテーブル（ｇ）である。
【図４】図３（ｆ）の補正量の求め方を説明するためのグラフである。
【図５】本実施の形態における補正前の元画像である階調画像（ａ）と網点化後の網点画像（ｂ）との関係を概略的に示す模式図である。
【図６】図５（ａ）と同様の元画像である階調画像の模式図（ａ）、図６（ａ）の階調画像の各画素毎に求めた補正量を示す模式図（ｂ）、階調画像の各画素に対応する網点画像の６×６の画素からなる各ブロックを示す模式図（ｃ）である。
【図７】本実施の形態による階調補正処理ステップ（Ｓ０１〜Ｓ０８）を説明するためのフローチャートである。
【図８】本実施の形態における補正前の網点画像の例を示す模式図である。
【図９】図８の網点画像をプラス方向に補正するためのランダム画素の例を示す模式図である。
【図１０】図８の網点画像を図９のランダム画素でプラス方向に補正した例を示す模式図である。
【図１１】図８の網点画像をマイナス方向に補正するためのランダム画素の例を示す模式図である。
【図１２】図８の網点画像を図１１のランダム画素でマイナス方向に補正した例を示す模式図である。
【符号の説明】
【００７１】
１０ 画像処理装置
１２ 処理部
１５ 制御部
２０ 画像出力装置
【図１】
2008270861.tif 000006
【図２】
2008270861.tif 000007
【図３】
2008270861.tif 000008
【図４】
2008270861.tif 000009
【図６】
2008270861.tif 000010
【図７】
2008270861.tif 000011
【図８】
2008270861.tif 000012
【図９】
2008270861.tif 000013
【図１０】
2008270861.tif 000014
【図１１】
2008270861.tif 000015
【図１２】
2008270861.tif 000016
【図５】
2008270861.tif 000017